(57)【特許請求の範囲】
【請求項１】
開閉口の上部に並設されるガイドの一方に移動可能に支持されて中央に配置される２分割された分割センタ扉と、前記ガイドの他方に移動可能に支持されて前記分割センタ扉の両側に配置される第１、第２サイド扉と、前記分割センタ扉の分割部に対し着脱可能な係止部を有し前記ガイドに移動可能に支持されて前記分割センタ扉及び第１、第２サイド扉を引き違い可能に連動移動させる連動機構であって、前記連動機構は、前記係止部の両側に一対の滑車が軸支された連動ユニットと、一端が前記第１サイド扉に取付けられ、他の固定滑車群を介して前記連動ユニットの前記第２サイド扉側に配置された滑車を巻回して折り返し他端が第２サイド扉に取付けられた第１ロープと、一端が前記第２サイド扉に取付けられ、他の固定滑車群を介して前記連動ユニットの前記第１サイド扉側に配置された滑車を巻回して折り返し他端が第１サイド扉に取付けられた第２ロープとをループ状に張設して成り、前記各分割センタ扉はそれぞれ隣接するサイド扉より軽量とすると共に、前記サイド扉の一つの重量は２つの分割センタ扉の合わせた重量より軽量とすることで、前記一方の分割センタ扉が前記係止部に係止し、この分割センタ扉とそれに隣接したサイド扉とで開口の半分を閉鎖し、他方の分割センタ扉とそれに隣接したサイド扉とを一緒にして、閉鎖されていない開口側から開口の中央側に向かって移動した場合に、係止部に係止した分割センタ扉が前記他方の分割センタ扉とそれに隣接したサイド扉との移動量の半分の移動量で移動するようにした開閉動作、あるいは前両方の分割センタ扉が前記係止部に係止した状態より、サイド扉の一方を開閉した場合に、他方のサイド扉が分割センタ扉に対して対称的に移動するようにした開閉動作とが行えることを特徴とする引き違いスライド扉の連動機構。
【請求項２】
前記サイド扉の一つの重量は２つの分割センタ扉の合わせた重量より軽量とすることで、前両方の分割センタ扉が前記係止部に係止した状態より、サイド扉の一方を開閉した場合に、他方のサイド扉が分割センタ扉に対して対称的に移動するようにした請求項１に記載の引き違いスライド扉の連動機構。
【請求項３】
前記連動ユニットは、前記係止部が分割センタ扉の分割部に対し係止可能な突出体を有すると共に、分割センタ扉の分割部に対し磁性体を介して着脱可能に構成されて成る請求項１または２に記載の引き違いスライド扉の連動機構。
【請求項４】
前記分割センタ扉は、分割部近傍に夫々取っ手を突設して成る請求項１ないし３に記載の引き違いスライド扉の連動機構。
【発明の詳細な説明】
【０００１】
【発明の属する技術分野】
本発明は、引き違いスライド扉の連動機構であって、センタ扉を分割し両サイド扉と連動させて開閉機能を向上させた引き違いスライド扉の連動機構に関する。
【０００２】
【従来の技術】
従来より開閉口を開閉する扉として使用される引き違いのスライド扉は、２枚、もしくは３枚組合せの構造のものが一般的に使用されている。
【０００３】
このような引き違いのスライド扉は、開閉口に複数の扉を組合わせて使用する場合は、扉の枚数を多くすれば開閉口を広く開口することができるが、開閉する際に操作する人の移動範囲が広くなり操作性が悪くなる。
【０００４】
この開閉操作性を改善する手段として、前後に並設された引き違いスライド可能な複数枚のスライド扉に取っ手が取付けられるが、この取っ手が凸形の取っ手が取付けられる場合は、開放時に凸形取っ手が各扉の端部に当るため各スライド扉の開放領域が制約されて開閉口全部を開放することができなくなり、また、凹形取っ手が取付けられる場合は、引き違いスライドにより前後に重なり合う際にスライド扉の取っ手との干渉は無いが、各スライド扉を全部開放することによって互いに重なり合い内側のスライド扉の凹形取っ手が外側スライド扉の裏側に入り込むため、スライド扉を閉じる際に引き出し操作が困難となる問題を有していた。
【０００５】
【発明が解決しようとする課題】
そこで、本発明者は、開閉口の上下に取付けられ２列の軌道が並設されるガイドの一方の同一軌道上に移動可能に支持される幅狭の一対のサイド扉と、前記ガイドの他方の軌道に支持され、閉鎖時には前記両サイド扉の中央に位置する幅広のセンタ扉とを有し、前記サイド扉が前記センタ扉の移動量１に対し２倍の移動量で連動して移動することができる連動機構の開発を進めて完成に至り、特願平８−２９９３５２号を出願した。
【０００６】
この開発によって、スライド扉を開閉操作する者の移動する範囲が少なく、簡単な操作で開閉操作を行なうことが可能になったのである。
【０００７】
さらに、本出願人は開発を進め、開閉操作する者が移動しないか又は少ない移動範囲内における単一操作で大きく開閉させる為にセンタ扉を分割し、この分割センタ扉と共に両側に配置されるサイド扉を単一操作で連動移動させる点に着目し、スライド扉の連動機構を改良した引き違いスライド扉の連動機構の完成に至った。
【０００８】
本発明は、上記のような問題点を解決するためになされたもので、開閉操作者が定位置における単一操作による開閉操作でも最大限の開閉機能を得ることができ、開閉操作性を向上させた引き違いスライド扉の連動機構を提供することを目的とする。
【０００９】
【課題を解決するための手段】
本発明は、開閉口の上部に並設されるガイドの一方に移動可能に支持されて中央に配置される２分割された分割センタ扉と、前記ガイドの他方に移動可能に支持されて前記分割センタ扉の両側に配置される第１、第２サイド扉と、前記分割センタ扉の分割部に対し着脱可能な係止部を有し前記ガイドに移動可能に支持されて前記分割センタ扉及び第１、第２サイド扉を引き違い可能に連動移動させる連動機構であって、前記連動機構は、前記係止部の両側に一対の滑車が軸支された連動ユニットと、一端が前記第１サイド扉に取付けられ、他の固定滑車群を介して前記連動ユニットの前記第２サイド扉側に配置された滑車を巻回して折り返し他端が第２サイド扉に取付けられた第１ロープと、一端が前記第２サイド扉に取付けられ、他の固定滑車群を介して前記連動ユニットの前記第１サイド扉側に配置された滑車を巻回して折り返し他端が第１サイド扉に取付けられた第２ロープとをループ状に張設して成り、前記各分割センタ扉はそれぞれ隣接するサイド扉より軽量とすると共に、前記サイド扉の一つの重量は２つの分割センタ扉の合わせた重量より軽量とすることで、前記一方の分割センタ扉が前記係止部に係止し、この分割センタ扉とそれに隣接したサイド扉とで開口の半分を閉鎖し、他方の分割センタ扉とそれに隣接したサイド扉とを一緒にして、閉鎖されていない開口側から開口の中央側に向かって移動した場合に、係止部に係止した分割センタ扉が前記他方の分割センタ扉とそれに隣接したサイド扉との移動量の半分の移動量で移動するようにした開閉動作、あるいは前両方の分割センタ扉が前記係止部に係止した状態より、サイド扉の一方を開閉した場合に、他方のサイド扉が分割センタ扉に対して対称的に移動するようにした開閉動作とが行えることを特徴としている。この特徴によれば、扉の開閉状態に応じて、係止部に係止した分割センタ扉が前記他方の分割センタ扉とそれに隣接したサイド扉との移動量の半分の移動量で移動したり、サイド扉の一方を開閉した場合に、他方のサイド扉が分割センタ扉に対して対称的に移動することができると共に、操作者が定位置に位置した状態で第１サイド扉及び第２サイド扉を同時に連動させて開閉操作することができ、単一操作による開閉操作でも最大限の開閉機能を得ることができる。
【００１０】
本発明の引き違いスライド扉の連動機構は、前記連動ユニットの係止部が前記分割センタ扉の分割部に対し係止可能な突出体を有すると共に、分割センタ扉の分割部に対し着脱可能に構成されれば好適である。
これによれば、分割センタ扉の一方または両方が単独でまたは連動ユニットに係止されて第１サイド扉及び第２サイド扉と共に連動させて開閉操作することができ、最少開閉操作で幅広い開閉領域を得ることができる。
【００１１】
本発明の引き違いスライド扉の連動機構は、前記分割センタ扉は、分割部近傍に夫々取っ手を突設して成れば好ましい。
これによれば、単独で開放された分割センタ扉は、分割センタ扉の取っ手が第１、第２サイド扉を分割センタ扉側へ移動させる際に第１、第２サイド扉の端部に係止して連動移動させることができる。
【００１２】
【発明の実施の形態】
以下、実施の形態を挙げ図面に基づいて本発明を説明する。本発明の引き違いスライド扉の連動機構の第１実施形態につき説明する。図１は図２に示す引き違いスライド扉のＡ−Ａ断面図であり、図２は連動機構を備えた引き違いスライド扉の斜視図である。
【００１３】
図１および２に示されるように、１は例えばキャビネットのような収納庫の開閉口を示し、開閉口１上部の天板１ａ上面にはガイド２が開閉口１を横切るように水平に取付けられ、このガイド２は天板１ａ上面前方の低位置に形成された第１ガイド２ａと、該第１ガイド２ａ後方の高位置に形成されたた第２ガイド２ｂとが並設して構成される。
【００１４】
第１ガイド２ａは、それぞれ低ガイドレール２ａＲと上部抑えガイド２ａＳとから成り、第２ガイド２ｂは、それぞれ高ガイドレール２ｂＲと上部抑えガイド２ｂＳとから成っている。
【００１５】
開閉口１の中央には、該開閉口１の上部に並設されるガイド２の第１ガイド２ａにスライド可能に支持されて２分割された分割センタ扉３ａ、３ｂが配設され、分割センタ扉３ａ、３ｂの両側には第１、第２サイド扉４ａ、４ｂが配設され、ガイド２の第２ガイド２ｂにスライド可能に支持されている。
【００１６】
各第１、第２サイド扉４ａ、４ｂは、互いに連結された状態の分割センタ扉３ａ、３ｂの重量に比し軽量に構成され、分割センタ扉３ａ、３ｂの分割部Ｔ（図３参照）近傍の前面には取っ手Ｈ１、Ｈ２が突設されており、第１、第２サイド扉４ａ、４ｂの分割センタ扉３ａ、３ｂ側前面端部にも取っ手ｈ１、ｈ２が突設されている。
【００１７】
そして分割センタ扉３ａ、３ｂ及び第１、第２サイド扉４ａ、４ｂは、分割センタ扉３ａ、３ｂの分割部に対し着脱可能な係止部を有し、前記ガイド２に移動可能に支持された連動ユニットＵを備えた連動機構（詳細は後述する）により連動移動可能に構成されている。
【００１８】
分割センタ扉３ａ、３ｂは、各第１、第２サイド扉４ａ、４ｂと略同一幅を有し、分割センタ扉３ａ、３ｂの裏面には上部両側に夫々一対のステー５ａ、５ｂおよび５ｃ、５ｄが前記開閉口１の天板１ａ上面に向けて突設され、該各ステー５ａ、５ｂ、５ｃ、５ｄの先端にはそれぞれプーリ６ａ、６ｂおよび６ｃ、６ｄが回転自在に軸支されている。
【００１９】
第１サイド扉４ａの裏面には上部両側に一対のステー７ａ、７ｂが前記開閉口１の天板１ａ上面に向けて突設され、該各ステー７ａ、７ｂの先端にはそれぞれプーリ８ａ、８ｂ（８ｂのみ図を省略）が回転自在に軸支されている。
【００２０】
また、第２サイド扉４ｂの裏面には上部両側に一対のステー９ａ、９ｂが前記開閉口１の天板１ａ上面に向けて突設され、該各ステー９ａ、９ｂの先端にはそれぞれプーリ１０ａ、１０ｂが回転自在に軸支されている。
【００２１】
第１、第２サイド扉４ａ、４ｂ及び分割センタ扉３ａ、３ｂの各ステー７ａ、７ｂ、９ａ、９ｂ及び５ａ、５ｂ、５ｃ、５ｄの先端に軸支されている各プーリ８ａ、８ｂ、１０ａ、１０ｂ及び６ａ、６ｂ、６ｃ、６ｄは、前記各ステーに固定された支持軸Ｓ１、Ｓ２に回転自在に支持され、該支持軸Ｓ１、Ｓ２の端部は各プーリより外側に若干延設されている。
【００２２】
そして各ステー５ａ、５ｂ、５ｃ、５ｄは、各ステー７ａ、７ｂ、９ａ、９ｂに対し上下に位相をずらして配置されているため、分割スライド扉３ａ、３ｂの移動に対し相互の干渉は回避されるようになっている（図１参照）。
【００２３】
一方、開閉口１底板１ｂの下面には断面コ字形に形成された一対のガイド１１ａ、１１ｂが開口部を下に向けて水平に並設されている。
【００２４】
分割センタ扉３ａ、３ｂの裏面には下部両側に一対のＬ字形短ステー１２ａ、１２ｂ及び１２ｃ、１２ｄが開閉口１底板１ｂの下面に向けて突設され、該各ステー１２ａ、１２ｂ及び１２ｃ、１２ｄの先端にはそれぞれホイールＷ１が回転自在に軸支されている。
【００２５】
また、第１サイド扉４ａの裏面には下部両側に一対のＬ字形長ステー１３ａ、１３ｂが前記開閉口１底板１ｂの下面に向けて突設され、該各ステー１３ａ、１３ｂの先端にはそれぞれホイールＷ２が回転自在に軸支されている。
【００２６】
第２サイド扉４ｂの裏面には下部両側に一対のＬ字形長ステー１４ａ、１４ｂが前記開閉口１底板１ｂの下面に向けて突設され、該各ステー１４ａ、１４ｂの先端にはそれぞれホイールＷ２が回転自在に軸支されている。
【００２７】
そこで、分割センタ扉３ａ、３ｂの上部側ステー５ａ、５ｂ及び５ｃ、５ｄの先端に軸支されるプーリ６ａ、６ｂ及び６ｃ、６ｄは、低ガイドレール２ａＲ上に転動可能に支持されると共に、各プーリ６ａ、６ｂ及び６ｃ、６ｄの支持軸Ｓ１上部は、上部抑えガイド２ａＳに摺動可能に当接されて分割センタ扉３ａ、３ｂ下端が内側へ傾倒するのを抑制している。
【００２８】
また、分割センタ扉３ａ、３ｂ下方のステー１２ａ、１２ｂ及び１２ｃ、１２ｄの先端に軸支される各ホイールＷ１、Ｗ１は、底板１ｂ下面の外側に配設されるガイド１１ａ内に挿嵌されており、分割センタ扉３ａ、３ｂ下端の横振れを規制している。
【００２９】
一方、第１、第２サイド扉４ａ、４ｂの各上部側ステー７ａ、７ｂ、９ａ、９ｂ先端に軸支されている各プーリ８ａ、８ｂ、１０ａ、１０ｂは、高ガイドレール２ｂＲ上に転動可能に支持されると共に、支持軸Ｓ２の上部は上部抑えガイド２ｂＳに摺動可能に当接し、第１、第２サイド扉４ａ、４ｂ下端が内側へ傾倒するのを抑制している。
【００３０】
さらに、第１、第２サイド扉４ａ、４ｂ下方のステー１３ａ、１３ｂ、１４ａ、１４ｂ先端に軸支されるホイールＷ２、Ｗ２は、底板１ｂの下面内側に配設されるガイド１１ｂ内に挿嵌されており、第１、第２サイド扉４ａ、４ｂ下端の横振れを規制している。
【００３１】
このように、分割センタ扉３ａ、３ｂとこの分割センタ扉３ａ、３ｂの前側に配設された第１、第２サイド扉４ａ、４ｂは、開閉口１上部の第１、第２ガイド２ａ、２ｂ及び開閉口１下部のガイド１１ａ、１１ｂに引き違いスライド可能に支持される。
【００３２】
次に連動機構について説明する。図１及び図２に示されるように連動機構は、前面に係止部Ｋを有し、該係止部Ｋの両側に一対の滑車１５ａ、１５が水平に回転自在に軸支された連動ユニットＵと、前記第１、第２サイド扉４ａ、４ｂの開閉方向の両外側に配設されて天板１ａ上面に回転自在に軸支される２組の固定滑車群１６ａ、１６ｂ、１７ａ、１７ｂと、前記２組の固定滑車に対応させて天坂１ａの後方水平に配設された２組の固定滑車群１８ａ、１８ｂ、１９ａ、１９ｂと、第１、第２サイド扉４ａ、４ｂの両外側に配設された上部側のステー７ａ、９ｂの上面にあって各ロープの端部を係止する第１、第２係止部２０ａ、２０ｂと、一方の第１係止部２０ａに一端が取付けられ滑車群１６ａ、１８ａ、１９ｂ、１７ｂを介して連動ユニットＵの滑車１５ｂ（第２サイド扉４ｂ側）を巻回して折り返し、他端が前記第２係止部２０ｂに取付けられてループ状に張設された第１ロープ２１と、他方の第２係止部２０ｂに一端が取付けられ滑車群１７ａ、１９ａ、１８ｂ、１６ｂを介して連動ユニットＵの滑車１５ａ（第１サイド扉４ａ側）を巻回して折り返し、他端が第１係止部２０ａに取付けられてループ状に張設された第２ロープ２２とで構成される。
【００３３】
次に連動ユニットにつき詳述する。図３は連動ユニットＵを分割センタ扉の前面から視た部分斜視図を示し、連動ユニットＵは、前後が下方に折曲され底面に一対の滑車１５ａ、１５ｂを回転自在に軸支した板状ベースＢと、該板状ベースＢの前方折曲部Ｆの前面中央より突設され前記分割センタ扉３ａ、３ｂの分割部Ｔに係止可能な突出体としてのアーム２３と、前方折曲部Ｆ前面のアーム２３両側に取付られた例えば永久磁石等から成る磁性体２４ａ、２４ｂと、後方折曲部Ｒの両側に回転自在に軸支され前記高ガイドレール２ｂＲ上に転動可能に支持された一対の滑車Ｐ１、Ｐ２とで構成される。
【００３４】
尚、滑車Ｐ１、Ｐ２は、前述した分割センタ扉３ａ、３ｂ及び各第１、第２サイド扉４ａ、４ｂを支持する各滑車の構造と同一構成となっており、滑車Ｐ１、Ｐ２の外側に延出される支持軸Ｓ２の上部が上部抑えガイド２ｂＳに摺動可能に当接して板状ベースＢを水平に支持している。
【００３５】
次に、このように構成された連動機構の作用につき説明する。図４の（ａ）は分割センタ扉の両側に第１、第２サイド扉が配置されて開閉口が閉じられた状態を示し、（ｂ）は分割センタ扉両側の第１、第２サイド扉が連動して同時に開放された状態を示す説明図である。
【００３６】
先ず、図４の（ａ）に示される開閉口１が閉じられた状態において、分割センタ扉３ａ、３ｂは、分割部Ｔにて互いに当接して閉じた状態となっており、該分割部Ｔ近傍の金属部分が連動ユニットＵの両磁性体２４ａ、２４ｂにより磁気結合されて当接状態が保たれている。
【００３７】
そこで、操作者が開閉口１の片側に立って何れか一方のサイド扉（ここでは第１サイド扉４ａ）を分割センタ扉を３ａ側（中央側）に移動させて開閉口１の片側を開放させると、図２に示されるように第１係止部２０ａに取付けられた第１ロープ２１が牽引され他の滑車群１６ａ、１８ａ、１９ｂ、１７ｂを介して連動ユニットＵの滑車１５ｂ（第２サイド扉４ｂ側）を巻回して折り返され、他端が取付けられた第２係止部２０ｂを介して分割センタ扉３ａ、３ｂより軽量の第２サイド扉４ｂが分割センタ扉３ｂ側に移動される。
【００３８】
ここで第２サイド扉４ｂは、結合状態の分割センタ扉３ａ、３ｂを第１サイド扉４ａの１／２の移動量で同方向に移動させようとするが、分割センタ扉３ａ、３ｂより先に軽量の第２サイド扉４ｂの移動が開始され、この第２サイド扉４ｂの移動により第２ロープ２２が牽引されて連動ユニットＵの滑車１５ａを折り返し、他端が取付けられた第１係止部２０ａを介して第１サイド扉４ａを分割センタ扉３ａ側に移動させる。
【００３９】
これにより、分割センタ扉３ａ、３ｂ両側の滑車１５ａ、１５ｂに作用するロープによる両側の牽引力がバランスし合い、図４の（ａ）に示されるように分割センタ扉３ａ、３ｂに対し第１、第２サイド扉４ａ、４ｂを同時に対称的な連動移動を行なうことができる。これは反対他側の第２サイド扉４ｂ側を開閉させる場合にも同様の対称的な連動移動が得られることは勿論である。
【００４０】
このように、操作者が定位置に立って２分割された分割センタ扉３ａ、３ｂを操作することにより、該分割センタ扉３ａ、３ｂが単独で開閉され、連動ユニットＵと一方または両分割センタ扉３ａ、３ｂとの係止により第１サイド扉４ａ又は第２サイド扉４ｂが２倍の移動量で移動させることができると共に、第１サイド扉４ａ及び第２サイド扉４ｂを同時に連動させて開閉操作することができ、単一操作による開閉操作でも最大限の開閉機能を得ることができる。
【００４１】
次に、引き違いスライド扉の別の開閉操作につき説明する。図５の（ａ）、（ｂ）は開閉操作の変形例を示す動作説明図である。先ず、図４の（ａ）に示されるように開閉口１が閉じられた状態から分割センタ扉の一方３ｂを図５の（ａ）に示すように連動ユニットＵの磁性体２４ａから切り離し、単独で第２サイド扉４ｂ側に移動させる。
【００４２】
同様に、図５の（ｂ）に示されるように分割センタ扉の他方３ａを連動ユニットＵの磁性体２４ｂから切り離し、単独で第１サイド扉４ａ側に移動させる。
【００４３】
このように開閉口１の中央に位置する分割センタ扉３ａ、３ｂは、分割部Ｔが連動機構の連動ユニットＵから切り離されて単独で開閉口１の両側に移動し、中央部を大きく開口することができる。尚、中央に位置する連動ユニットＵは、開閉口１の天板１ｂ側上部に位置するため操作者の障害にはならない。
【００４４】
図６は、引き違いスライド扉の別の開閉操作につき説明する。図６の（ａ）〜（ｃ）は開閉操作の変形例を示す動作説明図である。図５の（ａ）に示されるように一方の分割センタ扉３ｂが、連動ユニットＵの磁性体２４ａから切り離されて第２サイド扉４ｂ側に位置している状態で第２サイド扉４ｂを開閉口１中央に向けて移動させると、分割センタ扉３ｂはその取っ手Ｈ１が第２サイド扉４ｂの端部に係合し第２サイド扉４ｂと共に移動する。
【００４５】
このように開閉口１の端部側に単独で開放された分割センタ扉３ａ、３ｂは、図６の（ｂ）に示されるように第１、第２サイド扉４ａ、４ｂが開閉口１の中央側に移動する動作で各第１、第２サイド扉４ａ、４ｂの端部に分割センタ扉の取っ手Ｈ１、Ｈ２が係合し連動させて移動することができる。
【００４６】
そこで、例えば第２サイド扉４ｂを一方の分割センタ扉３ｂと共に係合して開閉口１の中央側に移動させると、この移動により図２に示されるように第２サイド扉４ｂの第２係止部２０ｂに一端が取付られている第２ロープ２２が牽引される。
【００４７】
この第２ロープ２２を牽引すると、第２ロープ２２が分割センタ扉３ａの滑車１５ａを折り返してその端部が取付られている第１サイド扉４ａを中央側に移動させようとする。ところが第２ロープ２２は、この牽引力により連動ユニットＵの滑車１５ａを第１サイド扉４ａ側に移動させようとする作用力を有している。
【００４８】
そこで、図６の（ｂ）に示されるように連動ユニットＵは、第２ロープ２２の牽引力により滑車１５と共に移動し、該連動ユニットＵのアーム２３に係止されている第１サイド扉４ａより軽量の分割センタ扉３ａが第１サイド扉４ａ側に移動される。
【００４９】
このように他方の分割センタ扉３ａは、第２サイド扉４ｂの移動量Ｌに対しＬ×１／２の移動量で移動することになり、第２サイド扉４ｂが一方の分割センタ扉３ｂと共に移動すると、図６の（ｃ）に示されるように他方の分割センタ扉３ａは連動ユニットＵと共に連動移動し、開閉口１の片側を開放させることができる。
【００５０】
このように、分割センタ扉３ａ、３ｂの一方または両方が連動ユニットＵに着脱可能に係止されて単独に、または第１サイド扉４ａ及び第２サイド扉４ｂと共に連動させて開閉操作することができ、最少開閉操作で幅広い開閉領域を得ることができる。
【００５１】
以上、本発明の実施例を図面により説明してきたが、具体的な構成はこれら実施例に限られるものではなく、本発明の要旨を逸脱しない範囲における変更や追加があっても本発明に含まれる。例えば、連動ユニットの係止部は一対の磁性体とアームは別個に設置されているがアームが磁性体で構成されても良く、連動ユニットを支持するガイドレールは高ガイドレールに限定されるものではない。
【００５２】
【発明の効果】
本発明は次の効果を奏する。
【００５３】
（ａ）請求項１の発明によれば、扉の開閉状態に応じて、係止部に係止した分割センタ扉が前記他方の分割センタ扉とそれに隣接したサイド扉との移動量の半分の移動量で移動したり、あるいはサイド扉の一方を開閉した場合に、他方のサイド扉が分割センタ扉に対して対称的に移動することができると共に、操作者が定位置に位置した状態で第１サイド扉及び第２サイド扉を同時に連動させて開閉操作することができ、単一操作による開閉操作でも最大限の開閉機能を得ることができる。
【００５４】
（ｂ）請求項２の発明によれば、分割センタ扉の一方または両方が単独でまたは連動ユニットに係止されて第１サイド扉及び第２サイド扉と共に連動させて開閉操作することができ、最少開閉操作で幅広い開閉領域を得ることができる。
【００５５】
（ｃ）請求項３の発明によれば、単独で開放された分割センタ扉は、分割センタ扉の取っ手が第１、第２サイド扉を分割センタ扉側へ移動させる際に第１、第２サイド扉の端部に係止して連動移動させることができる。
【００５６】
【図面の簡単な説明】
【図１】本発明の一実施形態を示す図２のＡ−Ａ断面図である。
【図２】本発明の一実施形態としての連動機構を備えた引き違いスライド扉の斜視図である。
【図３】連動ユニットＵを分割センタ扉の前面から視た部分斜視図である。
【図４】（ａ）は分割センタ扉の両側に第１、第２サイド扉が配置されて開閉口が閉じられた状態を示し、（ｂ）は分割センタ扉両側の第１、第２サイド扉が連動して同時に開放された状態を示す説明図である。
【図５】（ａ）、（ｂ）は開閉操作の変形例を示す動作説明図である。
【図６】（ａ）〜（ｃ）は開閉操作の変形例を示す動作説明図である。
【符号の説明】
１              開閉口
１ａ            天板
１ｂ            底板
２              ガイド
２ａ            第１ガイド
２ｂ            第２ガイド
２ａＲ          低ガイドレール
２ｂＲ          高ガイドレール
２ａＳ          上部抑えガイド
２ｂＳ          上部抑えガイド
３ａ、３ｂ      分割センタ扉
４ａ            第１サイド扉
４ｂ            第２サイド扉
５ａ、５ｂ      ステー
５ｃ、５ｄ      ステー
６ａ、６ｂ      プーリ
６ｃ、６ｄ      プーリ
７ａ、７ｂ      ステー
８ａ、８ｂ      プーリ
９ａ、９ｂ      ステー
１０ａ、１０ｂ  プーリ
１１ａ、１１ｂ  ガイド
１２ａ、１２ｂ  ステー
１２ｃ、１２ｄ  ステー
１３ａ、１３ｂ  ステー
１４ａ、１４ｂ  ステー
１５ａ、１５ｂ  滑車
１６ａ、１６ｂ  固定滑車
１７ａ、１７ｂ  固定滑車
１８ａ、１８ｂ  固定滑車
１９ａ、１９ｂ  固定滑車
２０ａ          第１係止部
２０ｂ          第２係止部
２１            第１ロープ
２２            第２ロープ
２３            アーム
２４ａ、２４ｂ  磁性体
Ｂ              板状ベース
Ｆ              前方折曲部
Ｐ１、Ｐ２      滑車
Ｒ              後方折曲部
Ｓ１、Ｓ２      支持軸
ＳＴ            調整ねじ
Ｔ              分割部
Ｕ              連動ユニット
Ｗ１、Ｗ１      ホイール
【図１】
0003831914.tif 000002
【図２】
0003831914.tif 000003
【図３】
0003831914.tif 000004
【図４】
0003831914.tif 000005
【図５】
0003831914.tif 000006
【図６】
0003831914.tif 000007